(57)【要約】  互いに可動に結合された少なくとも２つの座席／寝台パッドエレメント（７ａ，７ｂ，７ｃ，７ｄ）と、少なくとも１つの支持エレメント（８．１，８．２，８．３，８．４）とを有する座席／寝台パッド（７）であって、支持エレメント（８．１，８．２，８．３，８．４）は、座席／寝台パッドエレメント（７ａ，７ｂ，７ｃ，７ｄ）が互いに相対的に動くことができるように、座席／寝台パッドエレメント（７ａ，７ｂ，７ｃ，７ｄ）に結合されている、座席／寝台パッド（７）が記載される。
2019523167.tif 000002
【特許請求の範囲】
【請求項１】
互いに可動に結合された少なくとも２つの座席／寝台パッドエレメント（７ａ，７ｂ，７ｃ，７ｄ）と、
少なくとも１つの支持エレメント（８．１，８．２，８．３，８．４）と、
を有する座席／寝台パッド（７）であって、
前記支持エレメント（８．１，８．２，８．３，８．４）は、前記座席／寝台パッドエレメント（７ａ，７ｂ，７ｃ，７ｄ）が互いに相対的に動くことができるように、前記座席／寝台パッドエレメント（７ａ，７ｂ，７ｃ，７ｄ）に結合されている、座席／寝台パッド（７）。
【請求項２】
互いに可動に結合された少なくとも４つの座席／寝台パッドエレメント（７ａ，７ｂ，７ｃ，７ｄ）が設けられている、請求項１記載の座席／寝台パッド（７）。
【請求項３】
前記座席／寝台パッドエレメント（７ａ，７ｂ，７ｃ，７ｄ）は、前記座席／寝台パッドエレメント（７ａ，７ｂ，７ｃ，７ｄ）のために設けられた弾性的なエレメント（１０）、特にばねエレメントを介して、互いに可動に結合されている、請求項１または２記載の座席／寝台パッド（７）。
【請求項４】
前記支持エレメント（８．１，８．２，８．３，８．４）は、座席／寝台車、特に子ども用カートのフレームステー、支持脚、または弾性的な結合エレメントである、請求項１から３までのいずれか１項記載の座席／寝台パッド。
【請求項５】
互いに可動に結合された前記座席／寝台パッドエレメント（７ａ，７ｂ，７ｃ，７ｄ）のそれぞれは、それぞれ少なくとも１つの弾性的な結合エレメント、特にゴムエレメントを介して、球形の下側部分に結合されており、該球形の下側部分は、中空の球形のシェル内に可動に支持されており、該中空の球形のシェルは、基礎上に立てるために少なくとも１つの支持エレメントに結合されている、請求項４記載の座席／寝台パッド（７）。
【請求項６】
前記少なくとも１つの支持エレメントは、ばねエレメントを備えている、請求項５記載の座席／寝台パッド（７）。
【請求項７】
前記座席／寝台パッド（７）は、バックレスト（１６）に結合されており、互いに可動に結合された前記座席／寝台パッドエレメント（７ａ，７ｂ，７ｃ，７ｄ）のそれぞれは、基礎上に立てるために少なくとも１つの支持脚に結合されている、請求項４記載の座席／寝台パッド（７）。
【請求項８】
少なくとも１つの支持脚は、ばねエレメントを備えている、請求項７記載の座席／寝台パッド（７）。
【請求項９】
前記支持脚が少なくとも１つの駆動エレメント（１９）に結合されていて、これにより前記支持脚は前記駆動エレメント（１９）により互いに独立して上昇運動および下降運動され得る、請求項７または８記載の座席／寝台パッド（７）。
【請求項１０】
請求項１から４までのいずれか１項記載の座席／寝台パッド（７）を備える座席／寝台車（１）であって、前記座席／寝台車（１）は、少なくとも１つの走行フレーム（２）と、該走行フレーム（２）に連結され、前記座席／寝台パッド（７）を備えた少なくとも１つの座席／寝台装置（３）を有し、前記走行フレーム（２）が少なくとも２つのホイールロッド（４）と、該ホイールロッド（４）に結合された走行ホイール（５）とを有し、互いに可動に結合された前記座席／寝台パッドエレメント（７ａ，７ｂ，７ｃ，７ｄ）のそれぞれは、少なくとも１つのフレームステーを介して前記走行フレーム（２）に連結されている、座席／寝台車（１）において、
各ホイールロッド（４）は、結合された前記走行ホイール（５）の回転軸線（ＤＡ）を中心として回転可能であり、前記フレームステーの連結のために、前記回転軸線（ＤＡ）の外側に配置された少なくとも１つの連結装置を備えており、前記走行ホイール（５）の回転運動（Ｄ）により、前記ホイールロッド（４）の回転（Ｒ）を形成可能であり、前記ホイールロッド（４）の前記連結装置への前記フレームステーの連結により、前記ホイールロッド（４）の形成された前記回転（Ｒ）が、互いに可動に結合された少なくとも２つの前記座席／寝台パッドエレメント（７ａ，７ｂ，７ｃ，７ｄ）の互いに逆向きの上昇運動（Ｖ１）および下降運動（Ｖ２）に変換されることを特徴とする、座席／寝台車（１）。
【請求項１１】
前記座席／寝台装置（３）は、跨がり領域を持つ胴体（６ａ）を備えた動物の体（６）の形で形成されており、互いに可動に結合された前記座席／寝台パッドエレメント（７ａ，７ｂ，７ｃ，７ｄ）は、互いに可動に結合された胴体部分として形成されており、好適には互いに可動に結合された少なくとも４つの胴体部分が設けられており、前記フレームステーは、前記動物の体（６）の、前記胴体（６ａ）に結合された肢体である、請求項１０記載の座席／寝台車。
【請求項１２】
各走行ホイール（５）は、固定可能に前記ホイールロッド（４）に結合されており、各走行ホイール（５）は、予め規定された空転位置において回転運動可能に前記ホイールロッド（４）に支持されており、かつ予め規定された固定位置において前記ホイールロッド（４）に対して相対回動不能に固定されている、請求項１０または１１記載の座席／寝台車。
【請求項１３】
各ホイールロッド（４）は、結合された前記走行ホイール（５）のそれぞれの前記回転軸線（ＤＡ）に沿って延びており、前記連結装置は、第１の連結部分（４ｂ）の形で形成されており、前記回転軸線（ＤＡ）に対して同軸に延びる軸部分（４ａ）は、前記第１の連結部分（４ｂ）に続いており、前記第１の連結部分（４ｂ）は、前記回転軸線（ＤＡ）に対してほぼ平行に延びる第１の連結軸線（ＫＡ１）を有している、請求項１０から１２までのいずれか１項記載の座席／寝台車（１）。
【請求項１４】
各ホイールロッド（４）は、第２の連結部分（４ｂ’）を有し、該第２の連結部分（４ｂ’）は、前記回転軸線（ＤＡ）に対してほぼ平行に延びる第２の連結軸線（ＫＡ２）を有している、請求項１３記載の座席／寝台車（１）。
【請求項１５】
前記第１および第２の連結部分（４ｂ，４ｂ’）は、前記回転軸線（ＤＡ）に関して、互いに反対の側に配置されていて、前記軸部分（４ａ）に対して、前記回転軸線（ＤＡ）と前記第１の連結部分（ＫＡ１）と第２の連結部分（ＫＡ２）とが１つの共通の平面内に収容されているように調整されている、請求項１４記載の座席／寝台車（１）。
【請求項１６】
前記肢体を前記ホイールロッド（４）に連結するために、筒状のスリーブエレメント（１３）が設けられており、該筒状のスリーブエレメント（１３）は、前記肢体の自由端に固く結合されており、前記ホイールロッド（４）の前記連結部分（４ｂ、４ｂ’）は、前記筒状のスリーブエレメント（１３）内に回転可能に支持されている、請求項１３から１５までのいずれか１項記載の座席／寝台車（１）。
【請求項１７】
前記肢体の領域において、緩衝エレメント（１５）、特にジョイントエレメントが設けられている、請求項１０から１６までのいずれか１項記載の座席／寝台車（１）。
【請求項１８】
前記肢体は、前記胴体部分に回転可能に取り付けられている、請求項１０から１７までのいずれか１項記載の座席／寝台車（１）。
【請求項１９】
前記動物の体（６）が馬体であり、胴体部分の、前記座席／寝台車（１）の走行運動に基づいて形成される互いに反対に向けられた動きは、馬の歩法を再現可能である、請求項１０から１８までのいずれか１項記載の座席／寝台車（１）。
【請求項２０】
各ホイールロッド（４）は、２つの部分から形成されており、第１のホイールロッド部分（４．１）および第２のホイールロッド部分（４．２）は、そのために設けられた差替えエレメント（１４）を介して、前記ホイールロッド（４）を形成するために、一体的に差し込まれている、請求項１０から１９までのいずれか１項記載の座席／寝台車（１）。
【請求項２１】
付加的にカバーが設けられており、該カバーが前記座席装置（３）または前記走行フレーム（２）に取り付けられており、該カバーが好適には折りたたみ可能かつ／またはたたみ込み可能に形成されている、請求項１０から２０までのいずれか１項記載の座席／寝台車（１）。
【請求項２２】
前記座席装置（３）の領域に、付加的にバックレスト（１６）が設けられており、該バックレスト（１６）が好適には調節可能に形成されている、請求項１０から２１までのいずれか１項記載の座席／寝台車（１）。
【請求項２３】
前記座席装置（３）の領域に、付加的に側方の肘掛け（１７）が設けられている、請求項１０から２２までのいずれか１項記載の座席／寝台車（１）。
【発明の詳細な説明】
【技術分野】
【０００１】
本発明は、座席／寝台パッドに関する。
【０００２】
先行技術
特に乳母車もしくは子ども用カート（Kinderwagen）の構成部分としての座席／寝台パッドは様々な実施形態において一般に公知である。新生児および乳幼児のために使用される、寝台シェルを備えた寝台型乳母車（Liegekinderwagen）の他にいわゆる椅子型乳母車（Sitzkinderwagen）がある。椅子型乳母車では、幼児は実質的に背筋をまっすぐに伸ばして座ることができる。これらの実施形態では、大抵の場合、たとえば存在しているバックレストおよび任意のフットレストを調節／折りたたみ機構を介して調節することが可能であり、これにより場合によっては子どもが横臥位置もしくは就寝位置をとることもできる。
【０００３】
この場合、典型的な乳母車は、手押しグリップを備えた走行フレームを有している。この場合、走行フレームは、寝台装置および／または座席装置に結合されており、通常、３つまたは４つの走行ホイールを有している。この場合、走行ホイールは、大抵の場合には、定位置の車軸において回転可能に懸架されている。最も公知の実施形態では、さらに寝台装置および／または座席装置に、または走行フレームに、調節可能なカバーが設けられており、このカバーは、シェードとして、かつ／または風および雨除けとして役立つ。
【０００４】
先行技術からは、子どもを運ぶことができると同時に、子ども自身の動きを促すための手押し可能な三輪車または手押し可能な足蹴り車（Rutschauto）が公知である。この場合、手押し可能なこれらの三輪車または足蹴り車は、遊戯機能も搬送機能も引き受ける。
【０００５】
さらに、中国実用新案公告第８６２０８１６号明細書からは、幼児用の子ども用カートが公知である。この子ども用カートでは、馬の形の座席装置が形成されていて、走行フレームが複雑な駆動ロッドを有している。この駆動ロッドを介して、ホイールを動かすことができる。この場合、駆動ロッドは、馬の頭が反復式に交互に前方および後方に向かって動く場合にホイールが逐次動くように、形成されている。ホイールのこの動きを介して、馬の常歩運動が再現される。しかし、中国実用新案公告第８６２０８１６号明細書の子ども用カートにおいて、馬の常歩運動が頭部において反復される引きと押しとによって形成される、もしくは模倣されることは不都合であることが判った。この運動パターンは、たとえば乗馬時に行われるような実際の動きに一致していない。
【０００６】
たとえば乗馬時に行われるような、子どもの体の緊張状態を改善するアクティブな着座は、公知の子ども用カートでは促進されないので、先行技術から公知の手段があるにもかかわらず、椅子型の子ども用カートまたは跨がって乗る子ども用カートを改良して、健康的な着座および自然な子どもに適した筋肉強化を可能にし、かつ支援することができるようにするという需要がある。
【０００７】
発明の開示
したがって、本発明の課題は、先行技術の欠点を克服し、特に健康的な着座を支援し、できるだけ遊戯的な子どもに適した形式で子どもの筋肉、特に背筋の強化を行う子ども用カートを提供することにある。この課題は、本発明によれば、独立請求項１に記載の装置により解決される。本発明の別の有利な態様、詳細および形態は、従属請求項、明細書および図面から明らかである。
【０００８】
本発明は、互いに可動に結合された少なくとも２つの座席／寝台パッドエレメントと、少なくとも１つの支持エレメントとを有する座席／寝台パッドを提供する。この場合、支持エレメントは、座席／寝台パッドエレメントが互いに相対的に動くことができるように、座席／寝台パッドエレメントに結合されている。
【０００９】
特に、この座席／寝台パッドでは、健康的な着座が支援されかつ促進される。座席／寝台パッドエレメントと支持エレメントとのこのために調整された設けられた結合部を介して、座席／寝台パッドエレメントが互いに相対的に動かされ、これにより、上に座っているまたは載っている人は、座席／寝台パッドの動きを補償するために、生体固有の筋肉、特に体幹筋肉および背筋をアクティブにすることにより刺激される。このことは、最終的に筋力強化および筋力増強を引き起こし、とりわけ改善された姿勢をもたらし、したがって最終的には姿勢による損傷を予防する。
【００１０】
好適には、互いに可動に結合された少なくとも４つの座席／寝台パッドエレメントが設けられている。同様に好適には、座席／寝台パッドエレメントは、そのために設けられた弾性的なエレメントを介して、特にばねエレメントを介して互いに可動に結合されている。弾性的なエレメントとしては、弾性材料から成る帯状、ロッド上または条片状、またはほぼ球形または楕円形のエレメントが、これらのエレメントによって座席／寝台パッドエレメントの可動かつ確実な結合が形成される限り、使用され得る。特に好適には、予め規定されたばね力または張力を有するばねエレメントが、座席／寝台パッドエレメントの可動な結合のために使用される。特にばねエレメントの使用時に、潜在的な損傷の危険を回避するために、ばねエレメントは好適には被覆材、たとえば布から成る被覆材を備えている。
【００１１】
支持エレメントは、たとえば座席／寝台車、特に子ども用カートのフレームステー、支持脚または弾性的な結合エレメントであってもよい。つまり支持エレメントは、座席／寝台パッドエレメントのための載置部として働く。
【００１２】
本発明の好適な実施形態によれば、互いに可動に結合された座席／寝台パッドエレメントのそれぞれは、それぞれ少なくとも１つの弾性的な結合エレメント、特にゴムエレメントを介して、球形の下側部分に結合されている。この場合、球形の下側部分は、中空の球形のシェル内に可動に支持されており、中空の球形のシェルは、基礎上に立てるために少なくとも１つの支持エレメントに結合されている。この場合、特に好適には、少なくとも１つの支持エレメントにばねエレメントが備えられている。この実施形態では、この座席／寝台パッドは、椅子の、球体上に支持された座面として使用される。
【００１３】
本発明の択一的な好適な実施形態によれば、座席／寝台パッドは、バックレストに結合されている。この場合、互いに可動に結合された座席／寝台パッドエレメントのそれぞれは、基礎上に立てるための少なくとも１つの支持脚に結合されている。この実施形態でも、この座席／寝台パッドは椅子の座面として使用される。
【００１４】
この場合、好適には、少なくとも１つの支持脚は、ばねエレメントを備えていてもよい。この場合、特に好適には、支持脚は少なくとも１つの駆動エレメントに結合されていてもよく、これにより、支持脚は、駆動エレメントにより互いに独立して上昇運動および下降運動することができる。上昇運動および下降運動は、好適には任意に組み合わせ可能な鉛直方向および水平方向の方向成分を有するより複雑な運動パターンであるので、この場合、上昇運動および下降運動は三次元の運動パターンであると理解される。三次元の運動パターンは、たとえば上方、下方、前方および後方に向けられた方向成分を有していて、特に好適には横方向の運動成分および傾動運動を含んでいてもよい。支持脚の、駆動装置により形成された上昇運動および下降運動は、座席／寝台パッドエレメントに直接に伝達されるか、もしくは座席／寝台パッドエレメント内に導入されるので、座席／寝台パッドの動きは駆動可能であり、好適には制御可能である。この実施形態では、特に理学療法的な治療において使用可能である椅子が提供される。
【００１５】
本発明は、上記で規定した座席／寝台パッドを備える座席／寝台車も提供する。この場合、座席／寝台車は、少なくとも１つの走行フレームと、該走行フレームに連結された、座席／寝台パッドを備える少なくとも１つの座席／寝台装置とを有している。この場合、走行フレームは、少なくとも２つのホイールロッドと、該ホイールロッドに結合された走行ホイールとを有している。座席／寝台パッドの、互いに可動に結合された座席／寝台パッドエレメントのそれぞれは、少なくとも１つのフレームステーを介して走行フレームに連結されている。本発明に係る座席／寝台車は、特に、以下のことにより優れている。すなわち、各ホイールロッドが、結合された走行ホイールの回転軸線を中心として回転可能であり、この回転軸線の外側に配置された少なくとも１つの連結装置をフレームステーの連結のために備えていることにある。この場合、走行ホイールの回転運動により、ホイールロッドの回転が形成可能であり、ホイールロッドの連結装置へのフレームステーの連結により、ホイールロッドの形成された回転が、互いに可動に結合された少なくとも２つの座席／寝台パッドエレメントの互いに逆向きの上昇運動および下降運動に変換される。上昇運動および下降運動は、好適には、鉛直方向および水平方向の方向成分を備えるより複雑な運動パターンであるので、この場合、上昇運動および下降運動は、三次元の運動パターンであると理解され得る。三次元の運動パターンは、たとえば上方、下方、前方および後方の方向成分を有し、特に好適には横方向の運動成分または傾動運動も含んでいてもよい。
【００１６】
この座席／寝台車は、特に子どもを搬送するために適した車両、特に手押し可能な子ども用カート、または牽引することができる子ども用カート、たとえば子ども用自転車牽引器具（チャイルドトレーラー）である。座席／寝台装置は、この場合、横臥面および／または座面を提供する。
【００１７】
この場合、ホイールロッドとは、走行フレームの、ホイール懸架のために設けられており、好適にはそれぞれ２つのホイールに互いに結合されている部分であると理解される。この座席／寝台車では、好適には前方の走行ホイールを備える前方のホイールロッドと、後方の走行ホイールを備える後方のホイールロッドとが設けられている。したがって、ホイールロッドは、走行ホイールのための取付け装置もしくは取付けロッドであると理解され得る。この場合、走行ホイールは、ホイールロッドが走行ホイールの回転運動により回転させられ得るように、ホイールロッドに結合されている。この場合、ホイールロッドの回転軸線もしくは回動軸線は、走行ホイールの回転軸線に一致する。たとえばホイールロッドに固く結合された、ホイールロッドに対して固定され、相対回動不能に取り付けられている走行ホイールによって、または予め規定された固定位置のみでホイールロッドに対して固定されかつ相対回動不能に取り付けられている固定可能な走行ホイールによって、ホイールロッドの上述の回転が可能である。したがって、本出願の主旨において、ホイールロッドはシャフトの機能を引き受けることができる。固定可能な走行ホイールの場合、ホイールロッドは、走行ホイールの空転位置において、単純な固定された軸の機能も引き受けることができる。
【００１８】
ホイールロッドは、さらにフレームステーを連結するための連結装置を有しているので、ホイールロッドは、座席／寝台装置のための連結装置としても働く。回転軸線の外側に配置された連結装置は、種々異なって形成されていてもよく、この場合、連結箇所、連結点、連結部材または連結エレメントとしても理解され得る。本発明の主旨において、ホイールロッドは、連結装置または連結プロフィールを備えている。この場合、ホイールロッドに設けられた連結装置により、実際の連結点または結合点もしくは連結箇所または結合箇所がホイールロッドの回転軸線の外側に位置していることのみが満たされていればよい。
【００１９】
座席／寝台車を押したり引いたりする際に、走行ホイールは、前進運動により回転運動させられる。この座席／寝台車では、走行ホイールのこの回転運動により、いまやホイールロッドも同一の回転軸線を中心として回転させられ得る。ホイールロッドの、回転軸線の外側に配置された連結装置によって座席／寝台装置はホイールロッドに連結されており、この場合、ホイールロッドの、走行ホイールの回転運動により形成された回転が、互いに可動に結合された少なくとも２つの座席／寝台パッドエレメントの動きに変換されるか、もしくは転換され、または切り換えられ得る。この場合、座席／寝台パッドエレメントの動きは、第１には、水平方向の運動成分も含む上昇運動および下降運動である。この場合、座席／寝台パッドエレメントは、逆方向もしくは反対方向に、つまりそれぞれ互いに反対に向かって上方または下方に動かされる。
【００２０】
特に極めて有利には、この座席／寝台車により、前進運動中に、子どもが寝るかまたは座っている横臥面および／または座面が、座席／寝台パッドエレメントの、この場合に形成された逆向きの上昇および下降運動により動かされて、この場合にたとえば揺動運動または波状運動が模倣されるので、子どもにとって、たとえば「抱っこされている」ような落ち着いた気持ちが与えられる。さらに、いわゆるアクティブな着座が支援されて、このような着座時に子どもは体幹筋肉を動かすことで、たとえば座面／横臥面の動きを補償しようとする。
【００２１】
好適には、座席／寝台装置は、跨がり領域を形成する胴体６ａを備えた動物の体の形で形成されている。この場合、互いに可動に結合された座席／寝台パッドエレメントは、互いに可動に結合された胴体部分として形成されている。特に好適には、この場合、互いに可動に結合された４つの胴体部分が設けられており、胴体部分を走行フレームのホイールロッドに連結するためのフレームステーは、動物の体の、胴体６ａに結合された肢体である。
【００２２】
動物の体の形の座席装置を備える好適な座席／寝台車は、実質的に、椅子型または跨がることができる子ども用カートであり、子どもは、たとえば小さなポニーに乗るように、動物の体の形に形成された座席装置上に馬に乗るように座ることができる。たとえば四肢動物の場合にはそれぞれ２つの前脚および後脚もしくは前足および後足を形成する動物の体の肢体を介して、動物の体は走行フレームのホイールロッドに連結されており、かつこのホイールロッドを介して間接的に走行ホイールに連結されている。子どものための、地面から十分に離間した所望の座席高さは、長く延びる肢体によって達成され得る。本発明の主旨において、肢体という概念は、胴体の基体もしくは胴体の外側表面を超えて突出する延長部、突起、付属部または外方への折曲げ部であると理解される。
【００２３】
少なくとも２つの胴体部分は、動物の体の胴体長手方向軸線を形成する主軸線に関して相並んでまたは相前後して配置されていてもよい。配置により、胴体部分が相応して右側および左側または前側および後側の胴体部分を規定する。動物の体のできるだけ自然かつ魅力的なデザインを達成するために、胴体部分は好適には被覆材もしくはカバーを備えているので、子ども用カートの外側からの観察時には確認することができない。さらに、被覆材は軟らかい材料を詰められていてもよく、かつ／または胴体部分が詰め物を備えていてもよい。
【００２４】
特に有利には、座席／寝台車を押した場合に、胴体部分の上昇運動および下降運動により、動物の前進運動時のような動きが再現され、もしくは模倣され得る。座席／寝台車に座っている子どもには、この場合、乗馬しているかのような感覚が与えられる。したがってこの座席／寝台車は、子どものための単なる搬送器具ではなく、同時に遊戯、ゲームおよびスポーツ器具である。特別な利点は、この座席／寝台車によって、子どもの背筋をまっすぐに伸ばした姿勢が促進されるだけではなく、座っている子どもの独自の動きが刺激され得ることにより生じる。この動きの時に、子どもは動物の体において形成された動きに反応する。したがって、この座席／寝台車は、子どもの遊技欲求ならびに子どもの運動したい衝動に合致する。同時に、この座席／寝台車により、子どもの筋肉を相応して子どもに適した形式で強化し、これにより、改善された、特に脊柱をいたわる子どもの姿勢が促進され得る。
【００２５】
動物の動き、特に四肢動物の動きをできるだけ自然な形式で再現し、これにより跨がっている子どものための乗馬しているような感覚を強化するために、胴体６ａは、本発明の好適な実施形態によれば、互いに可動に結合された少なくとも４つの胴体部分を有している。この場合、好適にはこれら４つの胴体部分は、動物の体の胴体長手方向軸線を形成する主軸線に関してペアで相前後して配置されていて、したがって前側の２つの胴体部分と後側の２つの胴体部分とを形成する。好適には、各胴体部分はそれぞれ１つの肢体を介して走行フレームに連結されている。好適には、これにより、動物の走り方または歩法を特に良好に共感することができる。したがって、たとえば、馬の駈歩時のように、前右側の胴体部分が、左後側の胴体部分と同時に上方に動かされる一方で、前左側の胴体部分と後右側の胴体部分とが下方に動かされ、かつ前右側の胴体部分が、左後側の胴体部分と同時に下方に動かされる一方で、前左側の胴体部分と後右側の胴体部分とが上方に動かされる。
【００２６】
好適には、胴体部分は、そのために設けられた弾性のエレメント、特にばねエレメントを介して互いに可動に結合されている。弾性的なエレメントとして、弾性の材料から成る帯状、ロッド状、条片状またはほぼ球形または楕円形のエレメントが、これらのエレメントにより、胴体部分の可動しかし確実な結合が形成されている限り、使用され得る。特に好適には、予め規定されたばね力または張力を有するばねエレメントが、胴体部分の可動な結合のために使用される。特にばねエレメントの使用時に潜在的な損傷の危険を防止するために、ばねエレメントは好適には被覆材、たとえば布地から成る被覆材を備えている。
【００２７】
個別の胴体部分は、予め規定された形式で配置された胴体部分の中間室もしくは接合部が弾性的な硬化可能なプラスチック材料を射出成形されて、かつ可動な結合部は、硬化されているがなお弾性的なプラスチック材料によって形成されるように、互いに結合されていることも考えられる。
【００２８】
さらに、特別な利点は、各走行ホイールが、ホイールロッドに固定可能に結合されており、各走行ホイールが、予め規定された空転位置において、ホイールロッドに回転運動可能に支持されており、予め規定された固定位置において、ホイールロッドに対して相対回動不能に固定されており、これにより、ホイールロッドに対して固定的に配置されていることで生じる。したがって、空転位置は、ホイールロッドが走行ホイールの回転運動により回転させられない一種の静止位置を形成する。走行ホイールの回転運動は、この空転位置もしくは静止位置において、ホイールロッドから切り離されており、胴体部分の上昇運動および下降運動は行われない。したがって、胴体６ａにおける動きは、空転位置では連結解除されるか、切り離されるか、または遮断されてもよく、これによりこの子ども用カートは、空転位置もしくは静止位置において、特に有利には休息しているか、または寝ている子どもの搬送のためにも役立つことができる。
【００２９】
本発明の好適な実施形態によれば、各ホイールロッドは、それぞれの回転軸線に沿って延びており、少なくとも１つの連結装置は、第１の連結部分の形で形成されており、この場合、第１の連結部分は、回転軸線に対してほぼ平行に延びる第１の連結軸線を有している。回転軸線に対して同軸に延びる軸部分は、連結部分に接続している。付加的に、各ホイールロッドは、特に好適には第２の連結部分を有している。この場合、第２の連結部分は、回転軸線に対してほぼ平行に延びる第２の連結軸線を有している。特に好適な実施形態によれば、第１の連結軸線および第２の連結軸線も互いに平行に延びている。この場合、特に好適には、第１の連結部分と第２の連結部分とは、回転軸線に関して互いに反対の側に配置されており、回転軸線と第１の連結軸線および第２の連結軸線とが１つの共通の平面に収容されているように、軸線部分に対して調整されている。
【００３０】
この場合、連結部分は、ホイールロッドの、回転軸線に関して好適には互いに反対の側に位置する実質的にＵ字形の湾曲部または曲げ部であると理解され得る。択一的には、湾曲部または曲げ部は、互いにずらされて配置されていてもよく、しかし回転軸線と第１の連結軸線とが第１の平面内に収容され、回転軸線と第２の連結軸線とが第２の平面内に収容され、この場合第１の平面と第２の平面とが回転軸線に沿って交差し、たとえば約９０°の予め規定された角度を形成する。別の択一的な実施形態では、湾曲部または曲げ部は、第１の連結軸線と第２の連結軸線とが１つの共通の軸線に一致するように配置されていてもよい。
【００３１】
ホイールロッドに肢体を連結するために、本発明の好適な実施形態によれば、筒状のスリーブエレメントが設けられている。この場合、筒状のスリーブエレメントは，肢体の自由端に固く結合されていて、各筒状のスリーブエレメント内には好適にはホイールロッドのそれぞれ１つの連結部分が回転可能に収容されている。ホイールロッド、特にホイールロッドの連結部分が、筒状のスリーブエレメント内に回転可能にまたは滑るように支持されており、この場合、回転軸線を中心としたホイールロッドの回転が滑らかに妨げられずに行われるようにされ得る。
【００３２】
ホイールロッドに動物の体を連結するために筒状のスリーブエレメントと組み合わされた連結部分の上述の好適な構成および配置により、この子ども用カートによって、特に乗馬のような前進運動を模倣することができる。子ども用カートを前方に押した場合に、走行ホイールが動かされ、回転運動させられる。走行ホイールの回転運動は、ホイールロッドの回転も引き起こす。筒状のスリーブエレメント内に回転運動可能に支持された連結部分により、ホイールロッドの回転運動は最終的に連結された肢体へと伝達され、同時に上昇運動および下降運動に変換される。これらの上昇運動および下降運動は、肢体を介して胴体部分へと導入される。
【００３３】
これによって胴体部分は逆向きの動き、特に互いに相対的な上昇運動および下降運動で動かされる。これにより動物の胴６ａ、特に動物の背中の動きが、その前進運動時に模倣される。自明のことではあるが、逆向きの上昇運動および下降運動は、本発明の主旨において、複雑な運動パターンの部分運動を形成する。この場合、胴体部分は、ホイールロッドの回転により、鉛直方向に限らず動かされる。ホイールロッドの回転は、回転軸線を中心とした連結部分の回転をもたらし、連結部分の回転は、鉛直方向運動の他に、水平方向の運動割合も胴体部分に導入することができる。
【００３４】
特に好適には、肢体の領域に緩衝エレメント、好適にはジョイントエレメントが設けられている。ジョイントエレメントは、胴体部分の動きをばね弾性的に支持するか、または緩衝するために働く。好適には緩衝エレメント、特にジョイントエレメントは、肢体において自然の動物の脚部の関節に類似して、たとえば動物の距腱関節、球節、手根関節または膝関節と同様に配置されている。緩衝エレメントにより、特に動物の体の胴体６ａにおける急激かつ激しい動きを阻止することができる。同様に、肢体が胴体部分に回転可能に取り付けられている場合に、できるだけ自然な緩衝された動きを発生させるために、もしくは柔軟で穏やかな運動パターンのために、このことが特に必要であることが判った。このことは特に可動または弾性的またはジョイント式の取付け装置により可能である。
【００３５】
極めて特に有利には、動物の体は馬体である。この場合、胴体部分の、子ども用カートの走行運動に基づいて形成される互いに反対に向けられた動きは、馬の歩法を再現可能である。たとえばホイールロッドの連結部分の規定された配置により、馬の常歩運動または速歩運動または駈歩運動が模倣される。
【００３６】
本発明の択一的な好適な実施形態によれば、各ホイールロッドは２つの部分から形成されている。この場合、第１のホイールロッド部分と第２のホイールロッド部分とは、このために設けられた差替えエレメントを介して互いに一体的に差し込まれており、これによりホイールロッドを形成することができる。たとえば、ホイールロッドのこの２つの部分から成る構成により、ホイールロッドの連結部分の互いに対する配置を変更し、これにより１つの歩法から別の歩法へと変更することができる。
【００３７】
子ども用カートに座っている子どもを天候の影響、たとえば日光、雨または風から保護することができるように、子ども用カートには好適には付加的にカバーが設けられている。カバーは座席装置または走行フレームに取り付けられており、カバーは好適には折りたたみ可能かつ／またはたたみ込み可能に形成されている。
【００３８】
安全および快適性の理由から、座席装置の領域に、好適には付加的にバックレストが設けられている。この場合、バックレストは好適には調節可能に形成されている。バックレストは、たとえば以下のように形成されていてもよい。すなわち、バックレストが着座位置から好適には複数の段階を介して横臥位置へと調節され得る。特に、走行ホイールの空転位置により胴体部分の動きが切り離されているか、または遮断され得る実施形態において、横臥位置に調節されたバックレストは、特に有利である。なぜならば、眠っている子どものために横臥面を提供することができるからである。
【００３９】
たとえば、バックレストは、さらに座席部分を備えていてもよい。この座席部分は、特に好適には鞍の形で形成されていてもよい。子どものための付加的な安全性のために側方の肘掛けが提供される。この肘掛けは、座席装置の領域に設けられていてもよい。択一的な実施形態では、胴体の領域に配置されている相応した座席補助部が設けられていてもよい。
【００４０】
本発明を以下に図面に関連した実施形態につき詳しく説明する。
【図面の簡単な説明】
【００４１】
【図１ａ】互いに可動に結合された４つの座席／寝台パッドエレメントを大まかに概略的に示す斜視図である。
【図１ｂ】互いに可動に結合された４つの座席／寝台パッドエレメントを上から見た概略的な平面図である。
【図２】本発明の実施形態による座席／寝台パッドを有するハイチェアの側面図である。
【図３】子ども用カートの簡略化された概略図である。
【図４】本発明の実施形態による、動物の体の形で形成された座席装置の側面図である。
【図５ａ】好適な実施形態の胴体部分と走行フレームの概略的な部分図である。
【図５ｂ】別の好適な実施形態の胴体部分と走行フレームの概略的な部分図である。
【図６】走行フレームの１つの実施形態を正面から示す斜視図である。
【００４２】
発明を実施するための方法
図１ａおよび図１ｂには、弾性的なエレメント１０により互いに可動に結合された座席／寝台パッドエレメント７ａ，７ｂ，７ｃ，７ｄが単独で図示されている。この場合、座席／寝台パッドエレメント７ａ，７ｂ，７ｃ，７ｄは、図１ａでは斜視図で示されており、図１ｂでは上から見た平面図で示されている。図１ｂの例では、４つの座席／寝台パッドエレメント７ａ，７ｂ，７ｃ，７ｄが、ほぼ十字形に形成された１つの弾性的なエレメント１０によって互いに結合されているのに対して、図１ａでは、４つのばねエレメント１０が、隣りあって配置された座席／寝台パッドエレメント７ａ，７ｂ，７ｃ，７ｄをそれぞれ結合するために設けられている。
【００４３】
個別の座席／寝台パッドエレメント７ａ，７ｂ，７ｃ，７ｄは、実質的に直方体状に形成されている。この場合、対応する丸め部および／または面取り部が側面もしくはコーナに設けられていて、これにより使用者にとって心地よい基本形状を保証することができる。主軸線ＨＡに関して、座席／寝台パッドエレメント７ａ，７ｂの前方のペアと、座席／寝台パッドエレメント７ｃ，７ｄの後方のペアとが相前後して配置されている。この場合、座席／寝台パッドエレメント７ａ，７ｂの前方のペアは、支持エレメント８．１，８，２（図２を参照）の前方のペアに結合するために設けられていて、座席／寝台パッドエレメント７ｃ，７ｄの後方のペアは、支持エレメント８．３，８．４（図２を参照）の後方のペアに結合するために設けられている。このためには、各座席／寝台パッドエレメント７ａ，７ｂ，７ｃ，７ｄが、支持エレメントのための取付け装置１１を有している。取付け装置１１は、図１ａに図示された実施例では、座席／寝台パッドエレメント７ａ，７ｂ，７ｃ，７ｄにそれぞれ側方で配置されている。
【００４４】
図２は、本発明の１つの実施形態による座席／寝台パッドを備えたハイチェアを簡略化して概略的に示す側面図である。４つの座席／寝台パッドエレメント７ａ，７ｂ，７ｃ，７ｄから構成される座席／寝台パッドは、バックレスト１６に結合されている。この場合、互いに可動に結合された各座席／寝台パッドエレメント７ａ，７ｂ，７ｃ，７ｄは、基礎上に立てるために支持脚８．１，８．２，８．３，８．４に結合されている。さらにバックレスト１６には、側方の肘掛け１７が取り付けられている。この実施形態では、座席／寝台パッドは、椅子の座面として使用されている。この場合、好適には、少なくとも１つの支持脚８．１，８．２，８．３，８．４は、ばねエレメント（図示せず）を備えていてもよい。支持脚８．１，８．２，８．３，８．４は、基台エレメント１８内に配置された駆動エレメント１９に結合されていて、この場合、支持脚８．１，８．２，８．３，８．４を駆動エレメント１９によって互いに独立して上昇運動および下降運動させることができる。上昇運動および下降運動とは、好適には任意に組み合わせ可能な鉛直方向のおよび水平方向の方向成分を有する極めて複雑な運動パターンであるので、この場合、上昇運動および下降運動は、三次元の運動パターンとして理解される。三次元の運動パターンは、たとえば上方、下方、前方および後方に向けられた方向成分を有し、特に好適には横方向の運動成分または傾動運動も含んでいてもよい。支持脚８．１，８．２，８．３，８．４の、駆動エレメント１９により形成された上昇運動および下降運動は、座席／寝台パッドエレメント７ａ，７ｂ，７ｃ，７ｄへ直接に伝達されるか、もしくは座席／寝台パッドエレメント７ａ，７ｂ，７ｃ，７ｄ内に導入されるので、座席／寝台パッドの動きは駆動可能であり、好適には制御可能である。この実施形態では、有利には理学療法的な治療に使用可能である椅子が提供される。
【００４５】
図３は、子ども用カート１を簡略化された概略図で示している。子ども用カート１は、走行フレーム２と、この走行フレーム２に連結された座席装置３とを有している。座席装置３は、動物の体６の形で形成されていて、図示の実施例では、馬体である。
【００４６】
馬体６は、胴体６ａ、頭部１２および４つの肢体８．１，８．２，８．３，８．４を有している。これらの肢体８．１，８．２，８．３，８．４は、動物の体６の前脚および後脚を形成する。胴と呼ぶこともできる胴体６ａは、子どものための跨がり領域を形成し、この場合、子どもは、馬体６上に馬乗りに座ることができる。頭部１２は、たとえば安全または支持機能を引き受けることができる。なぜならば、子どもは快適に頭部につかまることができるからである。任意で、たとえば付加的に別個の把持グリップまたは把持ベルトが頭部１２に設けられていてもよい。
【００４７】
走行フレーム２は、少なくとも２つのホイールロッド４（図１では見えない、図４ａおよび図４ｂを参照）と、このホイールロッド４に結合された走行ホイール５とを有している。さらに、走行フレーム２は、手押しグリップ部材９を有している。この手押しグリップ部材９は、図示の実施例では調節可能に形成されているので、子ども用カート１を押す人にとって快適な腕もしくは手の位置のために個別に調節され得る。見易くするために図３には図示していないが、子ども用カート１には、さらに光、風および／または雨除けとしてカバーが設けられていてもよい。この場合、カバーは、好適には調節可能であり、特に折りたたみ可能かつ／またはたたみ込み可能に形成されている。同じく好適には、たとえば鞍の形で形成されている座席補助部が胴体の領域に配置されていてもよい。
【００４８】
図４は、本発明の好適な実施形態による、馬体６の形に形成された座席装置３を部分的に側面図で示している。馬体６のできるだけ自然かつ特に子どもにとって魅力的な外見を達成するために、対応して形成された馬体６には、毛皮状の布地カバーまたは被覆材が備えられている。特に胴体の、子どものための跨がり領域を形成する領域において、毛皮状の布地カバーまたは被覆材は、軟らかく、好適には少なくとも部分的に弾性の材料、たとえば発泡のような材料を付加的に詰め込まれている。これにより、特に軟らかく快適な座面と、子どもの脚のための軟らかい側方の当付け面もしくは載置面とが提供される。
【００４９】
本発明によれば、胴体６ａは、互いに可動に結合された少なくとも２つの胴体部分７ａ，７ｂ，７ｃ，７ｄを有している。これらの胴体部分７ａ，７ｂ，７ｃ，７ｄは、毛皮状の布地カバーまたは被覆材によって外側から確認することができず、したがって図４では破線で図示されている。図４の実施例では、胴体６ａは４つの胴体部分７ａ，７ｂ，７ｃ，７ｄを有している。これらの胴体部分７ａ，７ｂ，７ｃ，７ｄは、馬体６の、胴体長手方向軸線を形成する主軸線ＨＡに関して、２つのペアで相前後して配置されている。この場合、図４に示唆された胴体部分７ａは、前左側の胴体部分を形成し、示唆された胴体部分７ｃは、後左側の胴体部分を形成している。これと同様に、図示された実施例の胴体６ａは、右前側の胴体部分と、右後側の胴体部分とを有しているが、図４の側面図では確認することができない。
【００５０】
胴体部分７ａ，７ｂ，７ｃ，７ｄは、実質的に固い材料から製造されていて、本実施例では、硬質ゴムから製造されている。本実施例においてばねエレメントの形で形成されている弾性的なエレメント１０を介して、胴体部分７ａ，７ｂ，７ｃ，７ｄは互いに可動に結合されている。ばねエレメント１０は、適切な取付け手段を介してそれぞれ互いに結合すべき胴体部分７ａ，７ｂ，７ｃ，７ｄに取り付けられており、胴体部分７ａ，７ｂ，７ｃ，７ｄの相互に向けられた上昇運動Ｖ１および下降運動Ｖ２を可能にするために設計され、かつ調整されている。胴体部分７ａ，７ｂ，７ｃ，７ｄの上昇運動Ｖ１および下降運動Ｖ２は、この場合、特に鉛直方向および水平方向の方向成分を有している、逆向きまたは反対向きの動きとしても理解することができるので、この場合、上昇運動および下降運動は三次元の運動パターンとして理解することができる。
【００５１】
馬体６は、４つの肢体８．１，８．２，８．３，８．４を有している。この場合、肢体８．１が馬体６の左前脚を形成し，肢体８．３が、馬体６の左後脚を形成する。肢体８．１，８．２，８．３，８．４は、そのために設けられかつ調整された取付け装置１１により胴体部分７ａ，７ｂ，７ｃ，７ｄに結合されている。この場合、左前脚８．１は前左側の胴体部分７ａに結合されており、左後脚８．３は、後左側の胴体部分７ｃに結合されている。図示の実施例では、肢体８．１，８．２，８．３，８．４はジョイント式の取付け装置１１を介して胴体部分７ａ，７ｂ，７ｃ，７ｄに回転可能に取り付けられている。
【００５２】
改善された着座快適性のために、あるいはまた安全性の理由からも、図示の実施例の座席装置３はさらに調節可能なバックレスト１６ならびに側方の肘掛け１７を有している。これらのバックレスト１６および肘掛け１７により、子どもを付加的に支持しかつ防護することができる。バックレスト１６は、ここで図示されているように、座席部分１６’に結合して形成されていてもよく、座席部分１６’はたとえば鞍の形を有している。
【００５３】
図５ａは、本発明の好適な実施形態による、結合された前側の肢体８．１，８．２を備える前側の胴体部分７ａ，７ｂと、走行フレーム２との概略的な部分図を示している。前側の肢体８．１，８．２は、胴体部分７ａ，７ｂの下面を形成する領域において胴体部分７ａ，７ｂに結合されている。本発明によれば、各ホイールロッド４は、走行ホイール５の回転軸線ＤＡを中心として回転可能であり、連結装置を有している。この連結装置は回転軸線ＤＡの外側に配置されているので、連結装置に馬体６を相応して連結することに基づいて、ホイールロッド４の、走行ホイール５の回転運動Ｄにより生じる回転Ｒが、胴体部分７ａ，７ｂの逆向きの上昇運動Ｖ１および下降運動Ｖ２に変換され得る。
【００５４】
このためには、走行フレーム２の、走行ホイール５の回転軸線ＤＡに沿って延びるホイールロッド４は、肢体８．１，８．２の連結のための第１の連結部分４ｂおよび第２の連結部分４ｂ’と、これらの連結部分４ｂ，４ｂ’に接続する軸部分４ａとを有している。軸部分４ａは、回転軸線ＤＡに対して同軸に延びており、第１の連結部分４ｂおよび第２の連結部分４ｂ’は、回転軸線ＤＡに対してほぼ平行に延びる第１の連結軸線ＫＡ１および第２の連結軸線ＫＡ２を有している。この場合、第１の連結軸線ＫＡ１と第２の連結軸線ＫＡ２とは、同様に互いに平行に向けられている。第１の連結部分４ｂおよび第２の連結部分４ｂ’は、回転軸線ＤＡに関して互いに反対の側に位置して配置されていて、かつ回転軸線ＤＡと第１の連結軸線ＫＡ１および第２の連結軸線ＫＡ２とが１つの共通の平面に収容されているように、軸部分４ａに対して位置調整されている。この場合、第１の連結部分４ｂおよび第２の連結部分４ｂ’は、回転軸線ＤＡに関して反対の側に位置するほぼＵ字形の湾曲部または曲げ部として、またはＵ字形の連結成形材として理解することができる。
【００５５】
ホイールロッド４に肢体８．１，８．２を効果的に連結するために、筒状のスリーブエレメント１３が設けられている。この場合、各筒状のスリーブエレメント１３内に連結部分４ｂ，４ｂ’が回転可能もしくは回転運動可能に支持されている。連結部分４ｂ，４ｂ’の上記で説明した好適な構成および配置により、筒状のスリーブエレメント１３を介した肢体８．１，８．２の連結に基づいて、回転軸線ＤＡを中心としたホイールロッド４の回転Ｒ時に、胴体部分７ａ，７ｂが互いに逆方向に上方および下方に動かされることが達成される。
【００５６】
図５ｂの実施形態は、図５ａに示した実施形態とは、以下のことにより異なっている。すなわち、ホイールロッド４が２つの部分から形成されており、第１のホイールロッド部分４．１と、第２のホイールロッド部分４．２を有している。第１のホイールロッド部分４．１と、第２のホイールロッド部分４．２とは、ホイールロッド４を形成するために、そのために設けられた差替えエレメント１４を介して、互いに差し込んで１つに結合されている。この場合、第１の連結部分４ｂは、第１のホイールロッド部分４．１に形成されており、第２のホイールロッド部分４．２は第２の連結部分４ｂ’を有している。差替えエレメント１４を介して、両ホイールロッド部分４．１，４．２は、互いに様々な向きで、もしくは様々な調整位置で互いに結合することができる。たとえば、回転軸線ＤＡと第１の連結軸線ＫＡ１とが、第１の平面内に収容され、回転軸線ＤＡと第２の連結軸線ＫＡ２とが第２の平面内に収容され、この場合に第１の平面と第２の平面とが回転軸線ＤＡの領域において交差するように、両方のホイールロッド部分４．１，４．２を結合させることが可能である。択一的には、第１の連結軸線ＫＡ１と第２の連結軸線ＫＡ２とが１つの共通の軸線に一致するように、両ホイールロッド部分４．１，４．２の結合が行われてもよい。
【００５７】
特に連結部分４ｂ、４ｂ’の各位置調整および配向に関して、設けられた２つのホイールロッド４、つまり前側のホイールロッドと後側のホイールロッド４とを相応して配置することにより、子ども用カート１を押した場合に、たとえば特定の馬の歩法を模倣することができる。走行フレーム２を前から見た大まかで概略的な斜視図を再現している図６につき、たとえば、前側のホイールロッドおよび後側のホイールロッド４の配置を確認することができる。この配置では、駈歩運動を模倣することができる。
【００５８】
子ども用カート１を前方に押している場合には、走行ホイール５の回転運動Ｄに基づいて、かつ各回転軸線ＤＡを中心としたホイールロッド４の回転Ｒにより同時に、まさに駈歩している馬におけるように、前右側の肢体８．２と後左側の肢体８．３とが下方に動かされ、前左側の肢体８．１と後右側の肢体８．４とが上方に動かされる。図４ｂに図示された好適な実施形態による２つの部分から構成されたホイールロッド４によって、好みに応じて、１つの歩法から別の歩法へと交換することができ、たとえば常歩運動または速歩運動を模倣することができる。
【符号の説明】
【００５９】
１  子ども用カート
２  走行フレーム
３  座席／寝台装置
４  ホイールロッド
４．１  第１のホイールロッド部分
４．２  第２のホイールロッド部分
４ａ  軸部分
４ｂ  第１の連結部分
４ｂ’  第２の連結部分
５  走行ホイール
６  動物の体
６ａ  胴体
７  座席／寝台パッド
７ａ−７ｄ  座席／寝台パッドエレメント
８．１−８．４  支持エレメント
９  手押しグリップ部材
１０  弾性的なエレメント
１１  支持エレメント用の取付け装置
１２  頭部
１３  筒状のスリーブエレメント
１４  差替えエレメント
１５  緩衝エレメント
１６  バックレスト
１６’  座席部分
１７  側方の肘掛け
１８  基台エレメント
１９  駆動エレメント
Ｄ  走行ホイールの回転運動
ＤＡ  回転軸線
ＨＡ  主軸線
ＫＡ１  第１の連結軸線
ＫＡ２  第２の連結軸線
Ｒ  ホイールロッドの回転
Ｖ１  上昇運動
Ｖ２  下降運動
【図１ａ】
2019523167.tif 000003
【図１ｂ】
2019523167.tif 000004
【図２】
2019523167.tif 000005
【図３】
2019523167.tif 000006
【図４】
2019523167.tif 000007
【図５ａ】
2019523167.tif 000008
【図５ｂ】
2019523167.tif 000009
【図６】
2019523167.tif 000010
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
互いに可動に結合された少なくとも４つの座席／寝台パッドエレメント（７ａ，７ｂ，７ｃ，７ｄ）と、
少なくとも１つの支持エレメント（８．１，８．２，８．３，８．４）と、
を有する座席／寝台パッド（７）であって、
前記支持エレメント（８．１，８．２，８．３，８．４）は、前記座席／寝台パッドエレメント（７ａ，７ｂ，７ｃ，７ｄ）が互いに相対的に動くことができるように、前記座席／寝台パッドエレメント（７ａ，７ｂ，７ｃ，７ｄ）に結合されており、
前記支持エレメント（８．１，８．２，８．３，８．４）の前記座席／寝台パッドエレメント（７ａ，７ｂ，７ｃ，７ｄ）との結合部は、前記座席／寝台パッドエレメント（７ａ，７ｂ，７ｃ，７ｄ）が、互いに相対的に動くように設けられ且つ調整されており、これにより、上に座っているまたは載っている人は、前記座席／寝台パッド（７）の動きを補償するために、生体固有の筋肉をアクティブにすることにより刺激される、座席／寝台パッド（７）。
【請求項２】
前記支持エレメント（８．１，８．２，８．３，８．４）は、前記座席／寝台パッドエレメント（７ａ，７ｂ，７ｃ，７ｄ）の載置部として働く、請求項１記載の座席／寝台パッド（７）。
【請求項３】
前記座席／寝台パッドエレメント（７ａ，７ｂ，７ｃ，７ｄ）の動きは、水平方向の運動成分も含む上昇運動および下降運動である、請求項１または２記載の座席／寝台パッド（７）。
【請求項４】
前記座席／寝台パッドエレメント（７ａ，７ｂ，７ｃ，７ｄ）は、前記座席／寝台パッドエレメント（７ａ，７ｂ，７ｃ，７ｄ）のために設けられた弾性的なエレメント（１０）、特にばねエレメントを介して、互いに可動に結合されている、請求項１から３までのいずれか１項記載の座席／寝台パッド（７）。
【請求項５】
前記支持エレメント（８．１，８．２，８．３，８．４）は、座席／寝台車、特に子ども用カートのフレームステー、支持脚、または弾性的な結合エレメントである、請求項１から４までのいずれか１項記載の座席／寝台パッド（７）。
【請求項６】
駆動エレメントを用いて、前記支持エレメント（８．１，８．２，８．３，８．４）、特に支持脚の上昇運動および下降運動が引き起こされ、前記座席／寝台パッドエレメント（７ａ，７ｂ，７ｃ，７ｄ）に直接に伝達される、または前記座席／寝台パッドエレメント（７ａ，７ｂ，７ｃ，７ｄ）内に導入され、これにより前記座席／寝台パッド（７）の動きが駆動可能である、特に制御可能である、請求項１から５までのいずれか１項記載の座席／寝台パッド（７）。
【請求項７】
互いに可動に結合された前記座席／寝台パッドエレメント（７ａ，７ｂ，７ｃ，７ｄ）のそれぞれは、それぞれ少なくとも１つの弾性的な結合エレメント、特にゴムエレメントを介して、球形の下側部分に結合されており、該球形の下側部分は、中空の球形のシェル内に可動に支持されており、該中空の球形のシェルは、基礎上に立てるために少なくとも１つのスタンドエレメントに結合されている、請求項１から６までのいずれか１項記載の座席／寝台パッド（７）。
【請求項８】
前記少なくとも１つの支持エレメントは、ばねエレメントを備えている、請求項６または７記載の座席／寝台パッド（７）。
【請求項９】
前記座席／寝台パッド（７）は、バックレスト（１６）に結合されており、互いに可動に結合された前記座席／寝台パッドエレメント（７ａ，７ｂ，７ｃ，７ｄ）のそれぞれは、基礎上に立てるために少なくとも１つの支持脚に結合されている、請求項６から８までのいずれか１項記載の座席／寝台パッド（７）。
【請求項１０】
前記支持脚が少なくとも１つの駆動エレメント（１９）に結合されていて、これにより前記支持脚は前記駆動エレメント（１９）により互いに独立して上昇運動および下降運動され得る、請求項６から９までのいずれか１項記載の座席／寝台パッド（７）。
【請求項１１】
請求項１から６までのいずれか１項記載の座席／寝台パッド（７）を備える座席／寝台車（１）。
【請求項１２】
前記座席／寝台車（１）は、少なくとも１つの走行フレーム（２）と、該走行フレーム（２）に連結され、前記座席／寝台パッド（７）を備えた少なくとも１つの座席／寝台装置（３）を有し、前記走行フレーム（２）が少なくとも２つのホイールロッド（４）と、該ホイールロッド（４）に結合された走行ホイール（５）とを有し、互いに可動に結合された前記座席／寝台パッドエレメント（７ａ，７ｂ，７ｃ，７ｄ）のそれぞれは、少なくとも１つのフレームステーを介して前記走行フレーム（２）に連結されている、請求項１１記載の座席／寝台車（１）。
【請求項１３】
各ホイールロッド（４）は、結合された前記走行ホイール（５）の回転軸線（ＤＡ）を中心として回転可能であり、前記フレームステーの連結のために、前記回転軸線（ＤＡ）の外側に配置された少なくとも１つの連結装置を備えており、前記走行ホイール（５）の回転運動（Ｄ）により、前記ホイールロッド（４）の回転（Ｒ）を形成可能であり、前記ホイールロッド（４）の前記連結装置への前記フレームステーの連結により、前記ホイールロッド（４）の形成された前記回転（Ｒ）が、互いに可動に結合された少なくとも２つの前記座席／寝台パッドエレメント（７ａ，７ｂ，７ｃ，７ｄ）の互いに逆向きの上昇運動（Ｖ１）および下降運動（Ｖ２）に変換される、請求項１１または１２記載の座席／寝台車（１）。
【請求項１４】
前記座席／寝台装置（３）は、跨がり領域を持つ胴体（６ａ）を備えた動物の体（６）の形で形成されており、互いに可動に結合された前記座席／寝台パッドエレメント（７ａ，７ｂ，７ｃ，７ｄ）は、互いに可動に結合された胴体部分として形成されており、前記動物の体（６）が特に馬体であり、胴体部分の、前記座席／寝台車（１）の走行運動に基づいて形成される互いに反対に向けられた動きによって、馬の歩法が再現可能である、請求項１１から１３までのいずれか１項記載の座席／寝台車（１）。
【請求項１５】
請求項１から１０までのいずれか１項記載の座席／寝台パッド（７）を有する、特に理学療法的な治療に使用するための、椅子。
【国際調査報告】
2019523167.tif 000011
2019523167.tif 000012
2019523167.tif 000013
2019523167.tif 000014
2019523167.tif 000015
2019523167.tif 000016